(57)【特許請求の範囲】
【請求項１】
軒樋の前壁の上端縁内側に設けた前耳の背面と前側壁面との間に、内側下方に開口した係止隙間を形成する軒樋を内吊り状態で支持する軒樋吊り金具において、吊り具本体と軒樋の前耳を受ける前耳受け部と軒樋の後耳を受ける後耳受け部とからなるとともに、該吊り具本体に固定板が連設された軒樋吊り金具であって、上記前耳受け部は前耳係止部と上記吊り具本体に回動自在に軸支された前耳係合部とからなり、該前耳係合部はトリップ部とこのトリップ部の付勢によって回動するフック部とから一体的に構成され、前耳係止部を前耳の背面と軒樋の前側壁面との係止隙間に嵌挿するとともに、前耳の嵌入によって押し下げられるトリップ部によって付勢回動したフック部が上記前耳をラッチして軒樋を支持する軒樋吊り金具。
【請求項２】
上記固定板が正面視略三角形とされ、固定用ビスを通すビス孔が３個穿たれている請求項１に記載の軒樋吊り金具。
【発明の詳細な説明】
【技術分野】
【０００１】
本発明は、軒樋吊り金具に関する。さらに詳しくは、シンプルな形状で、軒樋の前耳をしっかりと把持するとともに、作業性よく軒樋を施工することのできる軒樋吊り金具の構造に関する。
【背景技術】
【０００２】
従来、軒樋吊り金具に関しては種々提案されており、例えば、下記特許文献１には、積雪や強風のとき等にも軒樋が吊り具から脱落するおそれのない軒樋の支持構造が記載されている。すなわち、下記特許文献１の図１に示されているように、吊り具本体に付設された軒樋固定補助具の下端が軒樋の底部付近にまで延設され、この下端が軒樋の底部に当接固定して強風等により軒樋が軒樋吊り具から外れないようにした軒樋の支持構造が提案されている。このとき、下記特許文献１の第２図に示されているように、上記軒樋の支持構造を駆体に取付ける際には、軒樋固定補助具が正面に位置するためこの軒樋固定補助具を避け、通常、固定板の左右の上部と下部との４ヶ所にビス孔を穿ち、ビスによって駆体に固定される。
【特許文献１】特開２０００−３４５６６６号公報（第１〜２頁、第１図、第２図、第３図）
【発明の開示】
【発明が解決しようとする課題】
【０００３】
しかしながら、上記特許文献１に記載の軒樋の支持構造は軒樋固定補助具の上端に設けられた係止片が吊り具本体の両側面に凹設された凹溝に挿入係止されているため、構造が複雑となり、また、構成部品の数も多いという問題がある。
【０００４】
本発明はこのような問題を解決して、少ない構成部品で作業性よく軒樋を施工することができるとともに、積雪や強風等によって簡単に外れることのない軒樋吊り金具を提供することを、その課題とする。
【課題を解決するための手段】
【０００５】
上記課題を解決するために、本発明においては、つぎのような技術的手段を講じている。すなわち、請求項１に記載の発明によれば、軒樋の前壁の上端縁内側に設けた前耳の背面と前側壁面との間に、内側下方に開口した係止隙間を形成する軒樋を内吊り状態で支持する軒樋吊り金具において、吊り具本体と軒樋の前耳を受ける前耳受け部と軒樋の後耳を受ける後耳受け部とからなるとともに、該吊り具本体に固定板が連設された軒樋吊り金具であって、上記前耳受け部は前耳係止部と上記吊り具本体に回動自在に軸支された前耳係合部とからなり、該前耳係合部はトリップ部とこのトリップ部の付勢によって回動するフック部とから一体的に構成され、前耳係止部を前耳の背面と軒樋の前側壁面との係止隙間に嵌挿するとともに、前耳の嵌入によって押し下げられるトリップ部によって付勢回動したフック部が上記前耳をラッチして軒樋を支持する軒樋吊り金具が提供される。
【０００６】
請求項２に記載の軒樋吊り金具は、請求項１に記載の発明に加えて、上記固定板が正面視略三角形とされ、固定用ビスを通すビス孔が３個穿たれる。
【発明の効果】
【０００７】
請求項１に記載の発明にかかる軒樋吊り金具は上記のとおりであり、軒樋の前壁の上端縁内側に設けた前耳の背面と前側壁面との間に、内側下方に開口した係止隙間を形成する軒樋を内吊り状態で支持する軒樋吊り金具において、軒樋の前耳を受ける前耳受け部は前耳係止部と吊り具本体に回動自在に軸支された前耳係合部とからなり、上記前耳係合部はトリップ部とこのトリップ部の付勢によって回動するフック部とから一体的に構成され、前耳係止部を前耳の背面と軒樋の前側壁面との係止隙間に嵌挿するとともに、前耳の嵌入によって押し下げられるトリップ部によって付勢回動したフック部が上記前耳を上から把持するようにラッチするため、積雪や強風等により前耳が前耳受け部から簡単に外れることなく、しっかりと軒樋を吊り下げ支持することができる。
【０００８】
請求項２に記載の軒樋吊り金具は上記のとおりであり、請求項１の軒樋吊り金具の有する効果に加え、上記固定板が正面視略三角形とされ、固定用ビスを通すビス孔が３個とされているため、固定板自体を略三角形のシンプルな形状とすることができるとともに、固定用ビスの本数も３本に減らすことが可能となり、施工の手間および材料費を抑えることができる。
【発明を実施するための最良の形態】
【０００９】
以下、本発明の実施形態について図面を参照して詳細に説明する。図１は、本発明にかかる軒樋吊り金具を示す斜視図である。図１に示すように、上記軒樋吊り金具は、吊り具本体３と吊り具本体３の前部に設けられ、軒樋の前耳を受ける前耳受け部Ａと吊り具本体３の後部下端に設けられ軒樋の後耳を受ける後耳受け部４とからなるとともに、上記吊り具本体３には固定板５が連設されている。この固定板５にはビス孔６が穿たれ、このビス孔６を介して上記軒樋吊り具は駆体にビスによって固定される。上記前耳受け部Ａは前耳係止部２と吊り具本体３の前部に回動軸１３を軸芯として回動自在に取付けられた前耳係合部１とからなり、上記前耳係止部２は先端に爪部２１を備えるとともに、前耳係合部１は、トリップ部１２とこのトリップ部１２の下方への付勢によって回動するフック部１１とから一体的に構成されている。
【００１０】
つぎに、前耳受け部Ａの動作について説明する。図２は、上記前耳受け部Ａに軒樋Ｂの前耳７を嵌入する状態を示す部分側面図である。図２に示すように、軒樋施工時には、前耳受け部Ａは開いた状態であり、この状態で係止部２を前耳７の背面と軒樋Ｂの前側壁面との隙間に嵌挿するとともに、前耳７を前耳係止部２と前耳係合部１との間に嵌入する。さらに、係合突起７１が背面下部に突設された前耳７を押し下げると、前耳７の下面は前耳係合部１のトリップ部１２を下方に付勢し、フック部１１を回動軸１３を軸芯として回動させ、前耳７をラッチする。このようにして、前耳受け部Ａは、前耳係止部２と前耳係合部１のフック部１１により前耳７をラッチし、簡単に作業性よく、軒樋Ｂを吊り下げ支持することができる。
【００１１】
図３は、前耳受け部Ａに保持された軒樋Ｂの前耳７を示す部分側面図である。図３に示すように、前耳係止部２と前耳係合部１によって上記前耳７はしっかりと保持され、軒樋Ｂは軒樋吊り金具によって吊り下げ、支持されることが明らかである。また、軒樋Ｂに突設された係合突起７１は強風等外部から力が加わったとき、上記爪部２１と係合して前耳７が前耳受け部Ａから外れ、軒樋Ｂが落下することを防ぐ。
【００１２】
図４は、上記前耳受け部Ａによって軒樋Ｂの前耳７を保持した状態を示す側面図である。図４に示されているように、軒樋Ｂの後耳８も吊り具本体３の後部下端に設けられた後耳受け部４によって支持され、かくして、本発明にかかる軒樋吊り金具は、特許文献１の図１に示されているような軒樋固定補助具を必要とすることなく、前耳受け部Ａが前耳７をしっかりと把持し、軒樋Ｂを吊り下げ支持する。
【００１３】
一方、前述のように吊り具本体３には固定板５が連設され、ビス孔６が穿たれている。図５は、図４に示す固定板５の背面図である。図４に示されているように、本発明の軒樋吊り金具には上記した軒樋固定補助具が設けられていないため、固定板５の正面下部を遮るものはなく、固定板５の正面下部にビス孔６を穿つことができる。その結果、固定板５自体を略三角形のシンプルな形状とすることが可能となるとともに、固定用ビスの本数も３本に減らせるため、少ない構成部品で作業性よく軒樋を施工することができる。
【図面の簡単な説明】
【００１４】
【図１】本発明にかかる軒樋吊り金具を示す斜視図である。
【図２】本発明にかかる前耳受け部に軒樋の前耳を嵌入する状態を示す部分側面図である。
【図３】本発明にかかる前耳受け部に保持された軒樋の前耳を示す部分側面図である。
【図４】本発明にかかる軒樋吊り金具を用いて軒樋を吊り下げ支持した状態を示す側面図である。
【図５】図４に示す固定板の背面図である。
【符号の説明】
【００１５】
Ａ          前耳受け部
Ｂ          軒樋
１          前耳係合部
１１        フック部
１２        トリップ部
１３        軸芯
２          前耳係止部
２１        爪部
３          吊り具本体
４          後耳受け部
５          固定板
６          ビス孔
７          前耳
７１        係合突起
８          後耳
【図１】
0004802841.tif 000002
【図２】
0004802841.tif 000003
【図３】
0004802841.tif 000004
【図４】
0004802841.tif 000005
【図５】
0004802841.tif 000006